(57)【要約】【課題】シーツ交換時に発生する静電気によりベッドフレームに電荷が帯電しても、当該システムが誤動作したり破損したりすることを防止する。【解決手段】病室のベッド６毎に設置され、ナースステーションに居る看護師を患者が呼び出すために呼び出しを行うベッド子機は、ベッド子機をベッドのベッドフレーム６１に取り付けるための取付金具５ｂと、取付金具に接合されベッド子機の筐体を構成する金属製シャーシと、金属製シャーシに取り付けられベッド上のシーツの交換等の摩擦時にベッドフレームに帯電する静電気を取付金具および金属製シャーシを介して放電させるための静電気除電用チェーン５ｃを備えている。【選択図】  図２
2004201785.tif 000002
【特許請求の範囲】
【請求項１】
病室のベッド（６）毎に設置され患者が看護師を呼び出すために呼び出しを行うベッド子機（５）と、ナースステーション毎に設置され前記ベッド子機からの呼び出しを報知するための呼出報知機能を有するナースコール親機（１）と、前記病室毎の廊下に設置され前記ベッド子機からの呼び出しに応じて呼出表示灯（３１）を点灯・点滅させるための呼出報知機能を有する廊下灯（３）と、前記ナースコール親機および前記廊下灯を制御するための制御機（２）とを備え、
前記ベッド子機は、前記ベッド子機を前記ベッドのベッドフレーム（６１）に取り付けるための取付金具（５ｂ）と、前記取付金具に接合され前記ベッド子機の筐体を構成する金属製シャーシ（５ａ）と、前記金属製シャーシに取り付けられ前記ベッド上のシーツの交換等の摩擦時に前記ベッドフレームに帯電する静電気を前記取付金具および前記金属製シャーシを介して放電させるための静電気除電用チェーン（５ｃ）を備えたことを特徴とするナースコール装置。
【請求項２】
病室のベッド（６）毎に設置され患者が看護師を呼び出すために音声または呼気をマイク開口部（５ｅ）を介してマイク（５ｆ）に入力して呼び出しを行うベッド子機（５）と、ナースステーション毎に設置され前記ベッド子機からの呼び出しを報知するための呼出報知機能を有するナースコール親機（１）と、前記病室毎の廊下に設置され前記ベッド子機からの呼び出しに応じて呼出表示灯（３１）を点灯・点滅させるための呼出報知機能を有する廊下灯（３）と、前記ナースコール親機および前記廊下灯を制御するための制御機（２）とを備え、
前記ベッド子機は、前記ベッド子機を前記ベッドのベッドフレーム（６１）に取り付けるための取付金具（５ｂ）と、前記取付金具に接合され前記ベッド子機の筐体を構成する金属製シャーシ（５ａ）と、前記金属製シャーシに導線（５ｊ）を介して接続され、前記ベッド上のシーツの交換等の摩擦時に前記マイク開口部に放電される静電気を前記導線を介して前記金属製シャーシに移電させるための導電プレート（５ｇ）とを備えたことを特徴とするナースコール装置。
【発明の詳細な説明】
【０００１】
【発明の属する技術分野】
本発明はナースコール装置に係り、特に、ベッドで使用される子機を備えたナースコール装置に関する。
【０００２】
【従来の技術】
従来から、この種のナースコール装置として、病室のベッド毎に設置され患者が看護師を呼び出すために音声または呼気で呼び出しを行うベッド子機と、ベッド子機に接続されるプレート子機と、ナースステーション毎に設置され各ベッド子機からの呼び出しを報知するための呼出報知機能を有するナースコール親機とを備えた構成が提案されている（例えば、特許文献１参照）。
【０００３】
【特許文献１】特開昭６１−４２６９０号公報（図１〜図５）
【発明が解決しようとする課題】
しかしながら、従来例のナースコール装置としての構成では、シーツ交換時に発生する静電気によりベッドフレームに電荷が帯電し、ベッド子機、プレート子機を介してナースコールシステム側へと流れる静電気の放電電流により、当該システムが誤動作したり破損する虞があった。
【０００４】
また、従来例のナースコール装置としての構成では、シーツ交換時等において、マイク開口部に静電気が放電すると、マイクが破損する虞があった。
【０００５】
本発明は、上述の難点を解消するためになされたもので、ベッド子機に静電気除電用チェーンを接続することにより、シーツ交換時に発生する静電気によりベッドフレームに電荷が帯電しても、当該システムが誤動作したり破損することを防止するとともに、ベッド子機のマイクの前面に本体金属製シャーシに接続された導電プレートを設けることにより、シーツ交換時等に発生する静電気がマイクに放電しても導電プレートを介して金属製シャーシに放電されるため、マイクが破損しないナースコール装置を提供することを目的としている。
【０００６】
【課題を解決するための手段】
上述の目的を達成するため、本発明のナースコール装置は、病室のベッド毎に設置され患者が看護師を呼び出すために呼び出しを行うベッド子機と、ナースステーション毎に設置されベッド子機からの呼び出しを報知するための呼出報知機能を有するナースコール親機と、病室毎の廊下に設置されベッド子機からの呼び出しに応じて呼出表示灯を点灯・点滅させるための呼出報知機能を有する廊下灯と、ナースコール親機および廊下灯を制御するための制御機とを備えたものである。ベッド子機は、ベッド子機をベッドのベッドフレームに取り付けるための取付金具と、取付金具に接合されベッド子機の筐体を構成する金属製シャーシと、金属製シャーシに取り付けられベッド上のシーツの交換等の摩擦時にベッドフレームに帯電する静電気を取付金具および金属製シャーシを介して放電させるための静電気除電用チェーンを備えたものである。
【０００７】
このようなナースコール装置によれば、ベッド子機に静電気除電用チェーンを接続しているので、シーツ交換時に発生する静電気によりベッドフレームに電荷が帯電しても静電気除電用チェーンを介して床に放電されることから、当該システムが誤動作したり破損することを防止できる。
【０００８】
また、本発明のナースコール装置は、病室のベッド毎に設置され患者が看護師を呼び出すために音声または呼気をマイク開口部を介してマイクに入力して呼び出しを行うベッド子機と、ナースステーション毎に設置されベッド子機からの呼び出しを報知するための呼出報知機能を有するナースコール親機と、病室毎の廊下に設置されベッド子機からの呼び出しに応じて呼出表示灯を点灯・点滅させるための呼出報知機能を有する廊下灯と、ナースコール親機および廊下灯を制御するための制御機とを備えたものである。ベッド子機は、ベッド子機をベッドのベッドフレームに取り付けるための取付金具と、取付金具に接合されベッド子機の筐体を構成する金属製シャーシと、金属製シャーシに導線を介して接続され、ベッド上のシーツの交換等の摩擦時にマイク開口部に放電される静電気を導線を介して金属製シャーシに移電させるための導電プレートとを備えたものである。
【０００９】
このようなナースコール装置によれば、ベッド子機のマイクの前面に本体金属製シャーシに接続された導電プレートを設けたので、シーツ交換時等に発生する静電気がマイクに放電しても導電プレートを介して金属製シャーシに移電されることから、マイクの破損を防止することができる。
【００１０】
【発明の実施の形態】
以下、本発明のナースコール装置を適用した好ましい形態の実施例について、図面を参照して説明する。
【００１１】
本発明の実施例におけるナースコール装置は、図１に示すように、病室のベッド６毎に設置され患者が看護師を呼び出すために音声または呼気で呼び出しを行うベッド子機５と、ベッド子機５に接続されるプレート子機４と、ナースステーション毎に設置されベッド子機５からの呼び出しを報知するための呼出報知機能を有するナースコール親機１と、病室毎の廊下に設置されベッド子機５からの呼出しに応じて呼出表示灯３１を点灯・点滅させるための呼出報知機能を有する廊下灯３と、ナースコール親機１および廊下灯３を制御するための制御機２とを備えている。
【００１２】
また、ベッド子機５は、図２および図３に示すように、ベッド６のベッドフレーム６１に取り付けるための取付金具５ｂと、取付金具５ｂに接合されているベッド子機本体（筐体）の金属製シャーシ５ａと、金属製シャーシ５ａに取り付けられ、シーツ等の交換時に発生する静電気によりベッドフレーム６１に帯電する電荷を取付金具５ｂおよび金属製シャーシ５ａを介して床へと放電させるための静電気除電用チェーン５ｃと、プレート子機４に接続されるケーブル５ｄと、後述するマイク５ｆが嵌め込まれるセンサ部５ｈとを備えている。
【００１３】
また、ベッド６は、図２に示すように、ベッドの枠組みであるベッドフレーム６１からなり、ベッド６上にはマット６２と、マット６２上にはウール、ポリエステルが素材である素材１、素材２とが敷かれている。
【００１４】
さらに、ベッド子機５のセンサ部５ｈは、図４（ａ）、（ｂ）に示すように、患者が看護師を呼び出すためにマイク５ｆに音声または呼気を入力するためのマイク開口部５ｅと、金属製シャーシ５ａに導線５ｊを介して接続され、ベッド６上のシーツの交換等の摩擦時にマイク開口部５ｅに放電される静電気を導線５ｊを介して金属製シャーシ５ａに移電させるための導電プレート５ｇと、患者が看護師を呼び出すためにマイク５ｆに対して音声または呼気で呼び出しを行ったとき、正しく動作すると点灯または点滅する確認表示灯５ｉとから構成されている。
【００１５】
なお、センサ部５ｈの筐体には、図４（ａ）に示すように、導電プレート５ｇ、マイク５ｆおよび確認表示灯５ｉが順次嵌め込まれる
このように構成された本発明の実施例によるナースコール装置において、以下、動作について説明する。
【００１６】
まず、本発明の実施例によるナースコール装置の基本動作について、図１および図３を参照して説明する。
【００１７】
病室に居る患者がナースステーション内に居る看護師を呼び出すためにベッド子機５のセンサ部５ｈに対して音声または呼気の入力により呼出操作を行った場合、この動作が正しく行われると確認表示灯５ｉが点灯する。また、上述の呼出操作により呼出信号がプレート子機４、廊下灯３、制御機２を介してナースコール親機１へと送信されると、ナースコール親機１では呼出音が鳴動するとともに呼び出した患者を特定するための患者表示灯（図示せず）が点滅し、併せて廊下灯３の呼出表示灯３１も点滅する。さらに、上述の呼び出しに応答するため、看護師がハンドセット（図示せず）を取り上げると、呼び出した患者との間で通話を行うことができ、これにより迅速な看護業務の遂行が図れる（詳述せず）。
【００１８】
次に、ベッド６上でシーツ交換する時の動作について、図２および図３を参照して説明する。
【００１９】
なお、ここでは、ベッド６に敷かれる素材１がウール、素材２がポリエステルとする。
【００２０】
図２に示すように、素材１から素材２を剥離すると（＋）電荷が素材１側に（−）電荷が素材２側にそれぞれ発生する。また、発生した（＋）電荷は、ベッドフレーム６１に帯電して空気中から除々に放電されるとともに、ベッド子機５の取付金具５ｂ、金属製シャーシ５ａ、静電気除電用チェーン５ｃを介して床へと放電される。ここで、静電気除電用チェーン５ｃを取り付けた場合と取り付けない場合では、図５および図６に示すように、ケーブル５ｄを介してプレート子機４側へと放電されるピーク電流Ｉ１は、１４Ａから２Ａと小さくなっており、ナースコールシステムが誤動作したり破損することはない。
【００２１】
次に、センサ部５ｈのマイク開口部５ｅに放電した静電気について、図３および図４（ａ）、（ｂ）を参照して説明する。
【００２２】
空気中を伝わってセンサ部５ｈのマイク開口部５ｅに放電した静電気は、マイク開口部５ｅを通り導電プレート５ｇに放電される。また、導電プレート５ｇに放電された静電気は、導線５ｊを介して金属製シャーシ５ａに帯電されることにより、マイク５ｆが破損することはなく、その後は金属製シャーシ５ａより徐々に空気中へと放電される、または静電気除電用チェーン５ｃを介して床へと放電される。
【００２３】
なお、本発明の実施例によるナースコール装置では、ベッドフレームに帯電する電荷等を放電させるものとして、静電気除電用チェーンを適用したが、これに限定されるものではなく、除電組紐や除電紐等の放電部材であってもよい。
【００２４】
【発明の効果】
以上の説明から明らかなように、本発明のナースコール装置によれば、ベッド子機に静電気除電用チェーンを接続しているので、シーツ交換時に発生する静電気によりベッドフレームに電荷が帯電しても、静電気除電用チェーンを介して放電されることから、当該システムが誤動作したり破損することを防止できるばかりでなく、さらに、ベッド子機のマイクの前面に本体金属製シャーシに接続された導電プレートを設けたので、シーツ交換時等に発生する静電気がマイクに放電しても導電プレートを介してシャーシに移電されることから、マイクの破損を防止することができる。
【図面の簡単な説明】
【図１】本発明の実施例によるナースコール装置を示すシステム構成図である。
【図２】本発明の実施例によるナースコール装置に備えられたベッド子機をベッドに取り付けたときの説明図である。
【図３】本発明の実施例によるナースコール装置に備えられたベッド子機を示す構成図である。
【図４】本発明の実施例によるナースコール装置に備えられたベッド子機のセンサ部を示す構成図であり、図４（ａ）は断面図、図４（ｂ）は分解図である。
【図５】本発明の実施例によるナースコール装置においてプレート子機側へと放電されるピーク電流の電流値を示す図である。
【図６】従来例としてプレート子機側へと放電されるピーク電流の電流値を示す図である。
【符号の説明】
１・・・・・ナースコール親機
２・・・・・制御機
３・・・・・廊下灯
３１・・・・・呼出表示灯
５・・・・・ベッド子機
５ａ・・・・・金属製シャーシ
５ｂ・・・・・取付金具
５ｃ・・・・・静電気除電用チェーン
５ｅ・・・・・マイク開口部
５ｆ・・・・・マイク
５ｇ・・・・・導電プレート
５ｊ・・・・・導線
６・・・・・ベッド
６１・・・・・ベッドフレーム
【図１】
2004201785.tif 000003
【図２】
2004201785.tif 000004
【図３】
2004201785.tif 000005
【図４】
2004201785.tif 000006
【図５】
2004201785.tif 000007
【図６】
2004201785.tif 000008